(57)【特許請求の範囲】
【請求項１】
第１の釣り針と、
前記第１の釣り針のヘッド下部のハリス巻き付け領域の下方部分に一部分が固着され、下方に傾斜するように設けられた楕円リングと、
前記第１の釣り針のヘッド下部のハリス巻き付け領域の下方部分に、前記楕円リングと一定の距離を保って一部分が固着され、前記下方部分に対して略直交するように設けられたリングと、
基端側の部分が前記楕円リング及び前記リングに挿通され、当該基端側の部分の延伸方向を軸に回動する第２の釣り針と、を備え、
前記第２の釣り針の基端側の部分には、前記楕円リングの上端面に当接する第１のストッパーが設けられ、
前記第２の釣り針は、前記第１のストッパーが前記楕円リングの上端面を摺動することにより、当該基端側の部分の延伸方向を軸に回動し、前記第１の釣り針に対して開閉するように構成された、
釣り針装置。
【請求項２】
前記第２の釣り針の先端は、前記第１の釣り針に対して閉じた状態において、前記第１の釣り針の先端よりも上方に位置する、請求項１記載の釣り針装置。
【請求項３】
前記第２の釣り針の基端側の部分には、前記第１のストッパーが前記楕円リングの上端面を摺動して上方に移動したときに前記リングの下端面に当接する、第２のストッパーが設けられている、
請求項１又は２記載の釣り針装置。
【発明の詳細な説明】
【技術分野】
【０００１】
本発明は、２本の釣り針が開く機能を備えた釣り針装置に関するものである。
【背景技術】
【０００２】
一般に使用されている釣り針はＪ型をしており、１本、２本構造のものと、引っ掛け用として３本及び多数本のものがある。
【０００３】
１及び２本のものは釣り餌を取り付ける構造のものが多く、釣り餌に魚が関与したときに、釣竿を上げ、釣り針を引っ張り（以下合せる）、魚の口へ釣り針を深く刺し、返し部分まで刺さるようにしている。
【０００４】
しかし、その合せるタイミングが遅いと、餌のみ取られ、魚を掛けることができず、魚を逃がしてしまうことがある。
【０００５】
一方、引っ掛け用として多数本の大きなサイズのものもあるが、これらのものは餌を付けて魚を釣ることが難しく、もっぱら力任せに、引っ掛けるようにしている。
【０００６】
この方法では、タイミングが合わないと、餌を取られ、魚が掛かっても完全に掛からないため、外れて（バラス）しまうことがある。
【０００７】
なお、この種の釣り針に関連するものとして特許文献１に記載されているものが挙げられる。
【特許文献１】特開平１１−１１３４４７号公報
【発明の開示】
【発明が解決しようとする課題】
【０００８】
しかしながら、魚種により釣竿を使い分け、釣竿の小さな撓りと撓りの変化量及び撓りの変化状況により、魚の関与を感じて釣りを行っている。
【０００９】
更に、今までの方法では、魚が針に関与しても、波及び風の状況により、魚の関与を判別し難いことがあり、魚の関与に気付くことが遅く、その結果、道糸を巻き上げることが遅くなり、餌を取られることが多く、吊り上げるには熟練を必要としている。
【００１０】
初めての人、目が悪い人では釣果が悪く、釣を楽しむことも容易ではない等の問題があった。
【００１１】
そこで、本願出願人は、魚が釣り針に関与したときに、釣り餌が少なくなったとき又は無くなったとき及び釣り針に外力が掛かったとき、釣り針に魚が掛かり易くするため、２本の釣り針の１本が約４５度〜１８０度、魚の口の中で開き、より針掛かりし易くできるようにした構造の釣り針装置を提供することを目的とするものである。
【課題を解決するための手段】
【００１２】
前記目的を達成するために、本発明は、１本の釣り針にリングを固定し、そのリング内をもう１本の釣り針が回転する機能を持ち、互いに抜けないよう、２本の釣り針を開閉できるようにした構造により、通常２本の釣り針は開いている状態にあって、２本の釣り針を閉じて、釣り餌を取り付け、魚に釣り餌が食べられると、釣り餌による釣り針の閉じる抵抗が少なくなり、通常状態に開く力が、釣り餌による抵抗力より大きくなったとき、２本の釣り針が開く手段を備えた釣り針装置を構成したものである。
【００１３】
前記した手段によれば、魚が釣り針に関与したときに、釣り餌が少なくなったとき、２本の釣り針の１本が約４５度〜１８０度、魚の口の中で開き、より針掛かりし易くできる。
【００１４】
前記釣り針装置を構成するに際しては、通常２本の釣り針は、釣り餌を取り付けるときに閉じ、高さが異なる２本の釣り針の、先端が高い１本の釣り針に外力が掛かったときに、及び、釣り餌の抵抗が少なくなったときに、重力により２本の釣り針が開く手段を備えた構成とすることができる。この場合、魚が釣り針に関与したとき、釣り針に外力が掛かったとき、及び、釣り餌の抵抗が少なくなったときに、重力により、２本の釣り針の１本が約４５度〜１８０度、魚の口の中で開き、より針掛かりし易くできる。
【発明の効果】
【００１５】
本発明によれば、２本の釣り針の１本が約４５度〜１８０度、魚の口の中で開き、より針掛かりし易くできる。
【発明を実施するための最良の形態】
【００１６】
以下、本発明の実施の形態を図面に基づいて説明する。
【００１７】
先ず、本発明によって提供される、前記外力及び重力が掛かったときに２本の釣り針が開く構造例について説明する。
【００１８】
図１〜図５は、釣り針の１本に外力が掛かったときに開く構造の実施例を示す図であって、図１は、釣り針が開いた状態を示す正面図、図２は、釣り針が閉じた状態を示す正面図、図３は、図１の要部断面図、図４は、図２の要部断面図、図５は、２本の釣り針の要部拡大図である。
【００１９】
図１〜図５において、釣り針装置は、２本の釣り針１、２を備えており、釣り針１のヘッド３の下部側にはハリス８が巻き付けられ、その下側には楕円リング７ａとリング７ｂが一定の距離を保って配置されている。楕円リング７ａの一端側は固定部９ａを介して釣り針１に固着され、リング７ｂの一端側は固定部９ｂを介して釣り針１に固着されている。楕円リング７ａは、釣り針１に対して傾斜して取り付けられ、リング７ｂは、釣り針１に対した略直交して取り付けられている。楕円リング７ａとリング７ｂ内にはそれぞれ釣り針２の基端側（頭部側）が上下動自在に挿入され、釣り針２の基端側にはストッパー１０ａ、１０ｂが一定の距離を保って固着されている。ストッパー１０ａは、楕円リング７ａの上端側に接するように配置されており、楕円リング７ａとの当接により、釣り針２が下方に抜け落ちるのを防止するようになっている。ストッパー１０ｂは、リング７ｂの下方に配置されており、リング７ｂとの当接により、釣り針２が上方に移動した際に、釣り針１と釣り針２が互いに離れるのを防止するようになっている。
【００２０】
釣り針１、２が互いに閉じた状態では、釣り針１、２の先端側には上下方向において距離Ｂが形成されている。すなわち、釣り針１、２は閉じた状態では先端高さが異なるような位置関係で互いに結合されている。釣り針１、２が閉じたときに、釣り針１、２の先端側に釣り餌を付けると、釣り針１、２は互いに閉じた状態に保たれる。この状態で釣り針１、２が水中に投げ込まれると、ハリス８に連結された錘によって釣り針１、２はそのまま水中を落下する。釣り針２先端部に外力が掛かり、釣り針２に下がる力が働くと、釣り針１に対して傾斜して取り付けられた楕円リング７ａに沿ってストッパー１０ａが移動するので、釣り針２の下降移動が楕円リング７ａによって規制され、釣り針２が回転し、釣り針１に対して、約４５度〜１８０度、魚の口の中で開くことなる。このとき、釣り針１、２の先端側は略同一平面上に配置される。
【００２１】
また、楕円リング７ａを大きくして、釣り針１の外よりセットして固定し、２本の釣り針１、２が開閉できるような構造でも良い。
【００２２】
本実施例によれば、魚が釣り針１、２に関与したときに、すなわち、釣り針２に外力が掛かったとき、釣り針２に魚が掛かり易くするため、２本の釣り針１、２のうち釣り針２が約４５度〜１８０度、魚の口の中で開くので、より針掛かりし易くできる。
【００２３】
次に、本発明の第２実施例であって、カム方式とスプリングにより２本の釣り針が開く構造の実施例を図６〜図９に従って説明する。図６は、釣り針が開いた状態を示す正面図、図７は、釣り針が開いた状態を示す要部拡大図、図８は、釣り針が閉じたときの要部断面図、図９は、図６の要部断面図である。
【００２４】
図６〜図９において、本実施例における釣り針装置は、楕円リング７ａ、リング７ｂの代わりに、スプリング機構として、弾性を有するスプリング方式のリング７ｃ、７ｄを用い、２本のリング７ｃ、７ｄを釣り針１に対して略直交する方向に配置して、リング固定部１１ａ、１１ｂを介して釣り針１に一定の距離を保った固着するとともに、釣り針２のヘッド４にカム４ａを形成したカム機構としたものであり、他の構成は第１実施例のものと同様である。
【００２５】
リング７ｃ、７ｄによる弾性力に抗して、釣り針１、２が互いに閉じると、図８に示すように、ヘッド４のカム４ａの先端側が釣り針１の表面に当接し、釣り針１と釣り針２との間にカム４ａによる間隙が形成されることに伴って、釣り針１と釣り針２の先端側が互いに接触する。このとき、釣り針１には、カム４ａの先端側を支点として、釣り針２から離れる方向の力が作用するが、この状態で釣り針１、２の先端側に釣り餌を付けると、釣り針１、２は互いに閉じた状態に保たれる。この状態で釣り針１、２が水中に投げ込まれると、ハリス８に連結された錘によって釣り針１、２はそのまま水中を落下する。釣り針１、２の釣り餌が少なくなると、釣り餌の抵抗が少なくなり、釣り針２は、カム４ａの先端側を支点として回転し、図９に示すように、釣り針１に対して、約４５度〜１８０度、魚の口の中で開くことなる。
本実施例によれば、魚が釣り針１、２に関与したときに、すなわち、釣り針１、２の釣り餌の抵抗が少なくなったとき、釣り針１、２に魚が掛かり易くするため、２本の釣り針１、２のうち釣り針２が約４５度〜１８０度、魚の口の中で開くので、より針掛かりし易くできる。
【００２６】
本実施例では、リング７ａ、７ｂが２本となっているが、３本でも、４本でも可能である。
次に、本発明の第３実施例であって、コイルスプリングにより２本の釣り針が開く構造の実施例を図１０〜図１３に従って説明する。図１０は、釣り針が開いた状態を示す正面図、図１１は、釣り針が閉じた状態を示す正面図、図１２は、釣り針が開いたときの要部断面図、図１３は、釣り針が閉じたときの要部断面図である。
【００２７】
図１０〜図１３において、本実施例における釣り針装置は、リング７ｃ、７ｄの代わりに、リング７ｂと同一構造のリング７ｅ、７ｆを用い、リング７ｅ、７ｆを釣り針１のリング固定部９ａ、９ｂに固定し、釣り針２のヘッド４にカム４ａを形成する代わりに、釣り針１にコイルスプリング１２を装着し、コイルスプリング１２の一端側をフリー端として、リング７ｅの下側に当接させ、他端側を固定部１３を介して釣り針１に固定し、ストッパー１０ａをリング７ｅの下側に配置し、ストッパー１０ｂをリング７ｆの上側に配置したものであり、他の構成は第２実施例のものと同様である。
【００２８】
コイルスプリング１２による弾性力に抗して、釣り針１、２が互いに閉じると、図１３に示すように、コイルスプリング１２の弾性力が釣り針１を釣り針２から離れる方向の力として作用するが、この状態で釣り針１、２の先端側に釣り餌を付けると、釣り針１、２は互いに閉じた状態に保たれる。この状態で釣り針１、２が水中に投げ込まれると、ハリス８に連結された錘によって釣り針１、２はそのまま水中を落下する。釣り針１、２の釣り餌が少なくなると、釣り餌の抵抗が少なくなり、釣り針２は、コイルスプリング１２の弾性力を受けて回転し、図１２に示すように、釣り針１に対して、約４５度〜１８０度、魚の口の中で開くことなる。
本実施例によれば、魚が釣り針１、２に関与したときに、すなわち、釣り針１、２の釣り餌の抵抗が少なくなったとき、釣り針１、２に魚が掛かり易くするため、２本の釣り針１、２のうち釣り針２が約４５度〜１８０度、魚の口の中で開くので、より針掛かりし易くできる。
【００２９】
次に、本発明の第４実施例であって、ハリスの弾力により２本の釣り針が開く構造の実施例を図１４〜図２２に従って説明する。図１４は、釣り針が開いた状態を示す正面図、図１５は、図１４の要部拡大図、図１６は、釣り針が閉じた状態を示す要部断面図、図１７は、図１６の要部拡大断面図、図１８は、釣り針が開いた状態を示す要部断面図、図１９は、図１８の要部拡大断面図、図２０は、釣り針のヘッドの正面図、図２１は、釣り針とハリスの関係を示す正面図、図２２は、釣り針が閉じたときの釣り針とハリスの関係を示す要部断面図である。
【００３０】
図１４〜図２２において、本実施例における釣り針装置は、釣り針１、２に同一構造のヘッド３、４を形成し、各ヘッド３、４にハリス挿入用の孔５、６を形成し、各ヘッド３、４の頂部が同一面上に配置されるように、釣り針２が挿入されたリング７ｂを釣り針１のリング固定部９ｂに固定するとともに、釣り針２にリング７ｂを間にして上側と下側にストッパー１０ａ、１０ｂを固着し、各ヘッドの孔５、６内にハリス８を挿入したものであり、他の構成は第１実施例のものと同様である。すなわち、釣り針１の孔５と釣り針２の孔６に挿入されたハリス８の張力により、常時、釣り針１と釣り針２が開くような構造をしている。
【００３１】
釣り針１、２が互いに閉じると、図２２に示すように、ヘッド３、４の傾斜部３ｂ、４ｂが互いに接触し、ハリス８の張力が釣り針１を釣り針２から離れる方向の力として作用するが、この状態で釣り針１、２の先端側に釣り餌を付けると、釣り針１、２は互いに閉じた状態に保たれる。この状態で釣り針１、２が水中に投げ込まれると、ハリス８に連結された錘によって釣り針１、２はそのまま水中を落下する。釣り針１、２の釣り餌が少なくなると、釣り餌の抵抗が少なくなり、釣り針２は、ハリス８が一直線になろうとするときの張力（テンション）を受けて回転し、図１８に示すように、釣り針１に対して、約４５度〜１８０度、魚の口の中で開くことなる。
本実施例によれば、魚が釣り針１、２に関与したときに、すなわち、釣り針１、２の釣り餌の抵抗が少なくなったとき、釣り針１、２に魚が掛かり易くするため、２本の釣り針１、２のうち釣り針２が約４５度〜１８０度、魚の口の中で開くので、より針掛かりし易くできる。
【００３２】
尚、ハリス８の張力が少なくなったときは、釣り針１及び釣り針２に荷重が掛かったときに、この荷重の力により、釣り針１と釣り針２が開くことになる。
【図面の簡単な説明】
【００３３】
【図１】本発明の第１実施例であって、外力で釣り針が開いた状態を示す正面図である。
【図２】釣り針が閉じた状態を示す正面図である。
【図３】図１の要部断面図である。
【図４】図２の要部断面図である。
【図５】２本の釣り針の要部拡大図である。
【図６】本発明の第２実施例であって、釣り針が開いた状態を示す正面図。
【図７】釣り針が開いた状態を示す要部拡大図である。
【図８】釣り針が閉じたときの要部断面図である。
【図９】図６の要部断面図である。
【図１０】本発明の第３実施例であって、釣り針が開いた状態を示す正面図である。
【図１１】釣り針が閉じた状態を示す正面図である。
【図１２】釣り針が開いたときの要部断面図である。
【図１３】釣り針が閉じたときの要部断面図である。
【図１４】本発明の第４実施例であって、釣り針が開いた状態を示す正面図である。
【図１５】図１４の要部拡大図である。
【図１６】釣り針が閉じた状態を示す要部断面図である。
【図１７】図１６の要部拡大断面図である。
【図１８】釣り針が開いた状態を示す要部断面図である。
【図１９】図１８の要部拡大断面図である。
【図２０】釣り針のヘッドの正面図である。
【図２１】釣り針とハリスの関係を示す正面図である。
【図２２】釣り針が閉じたときの釣り針とハリスの関係を示す要部断面図である。
【符号の説明】
【００３４】
１、２  釣り針
３、４  ヘッド
５、６  孔
７ａ  楕円リング
７ｂ、７ｃ、７ｄ、７ｅ、７ｆ  リング
８  ハリス
１０ａ、１０ｂ  ストッパー
【図１】
0004597802.tif 000002
【図２】
0004597802.tif 000003
【図３】
0004597802.tif 000004
【図４】
0004597802.tif 000005
【図５】
0004597802.tif 000006
【図６】
0004597802.tif 000007
【図７】
0004597802.tif 000008
【図８】
0004597802.tif 000009
【図９】
0004597802.tif 000010
【図１０】
0004597802.tif 000011
【図１１】
0004597802.tif 000012
【図１２】
0004597802.tif 000013
【図１３】
0004597802.tif 000014
【図１４】
0004597802.tif 000015
【図１５】
0004597802.tif 000016
【図１６】
0004597802.tif 000017
【図１７】
0004597802.tif 000018
【図１８】
0004597802.tif 000019
【図１９】
0004597802.tif 000020
【図２０】
0004597802.tif 000021
【図２１】
0004597802.tif 000022
【図２２】
0004597802.tif 000023